(57)【要約】【課題】分割して並べて配置されるガラス板等のパネルを挟持する構造として十分な挟持力を得ることができ、しかも、この挟持力を簡便に得られる構造のものとする。【解決手段】本建具１の上方位置及び下方位置で窓ガラス７ａ及び窓ガラス７ｂがそれぞれ支持される場合、これら窓ガラス７ａと窓ガラス７ｂ間に配置される保持枠体６による支持のしかたは、当該窓ガラス７ａと窓ガラス７ｂ間に形成される所定隙間に保持枠体６の第１中桟６１を配置した後、保持枠体６の第２中桟６２を、当該第２中桟６２の突条６２ｂを第１中桟６１の溝部６１ｂ１に窓ガラス７ａ，７ｂ面に並行な方向から挿入して第１中桟６１と結合させることによって支持する。この結合により、第１中桟６１と第２中桟６２が、窓ガラス７ａの下端部及び窓ガラス７ｂの上端部を両外枠体の間に渡って挟持する構造となるので、十分な挟持力を得ることができる。【選択図】図２
2005264427.tif 000002
【特許請求の範囲】
【請求項１】
互いに対向する一対の外枠体の間に、分割して並べて配置されるガラス板等のパネルを当該外枠体によって支持する建具であって、前記外枠体に装架する態様で前記パネル間に保持枠体を配設し、この保持枠体の凹部と凸部との、ワンタッチ操作による嵌め合い結合によって当該パネルを前記外枠体間に渡って挟持してなることを特徴とする建具。
【請求項２】
前記保持枠体は、前記パネルの表面側に配設される凹部または凸部を有する第１中桟と、前記パネルの裏面側に配設される凸部または凹部を有する第２中桟とで構成され、前記結合は、前記凸部の、前記パネル面に並行な方向からの前記凹部への挿入によってなされることを特徴とする請求項１に記載の建具。
【請求項３】
前記保持枠体は、前記パネルの表面側に配設される凸部または凹部を有する第１中桟と、前記パネルの裏面側に配設される凹部または凸部を有する第２中桟とで構成され、前記結合は、前記凸部の、前記パネル面に垂直な方向からの前記凹部への圧入によってなされることを特徴とする請求項１に記載の建具。
【請求項４】
前記外枠体は、断面視略矩形状の長尺な基部と、この基部の、前記矩形状の長辺を含む一方の面側に突設された断面視Ｌ字形状の前記パネルの支持部とで構成され、前記第１中桟は、前記外枠体の支持部間に装架される一方、前記第２中桟は、前記外枠体の基部間に装架されることを特徴とする請求項２または３に記載の建具。
【発明の詳細な説明】
【技術分野】
【０００１】
本発明は、ガラス板等のパネルが、例えば上方位置と下方位置に分割して配置されるような引戸や扉などの建具に関するものである。
【背景技術】
【０００２】
ガラス板（パネル）が、例えば上方位置と下方位置に分割して配置されるような引戸（建具）は、従来からある。
特許文献１には引戸のガラス板取付構造が開示され、このガラス板取付構造に係る引戸は、図６（Ａ−１）に示すように、中桟１０２が竪框１０１間に引戸本体１００の中央で横架され、引戸本体１００の上、下に配置されたガラス板１０３ａ，１０３ｂは、図６（Ｂ−２）に示すように、中桟１０２の裏面に木ねじ１０４で固着されたスペーサ１０５を挟んでガラス板１０３ａの下端部及びガラス板１０３ｂの上端部が当該中桟１０２とガラス押え片１０６とで挟み込まれる構造をなしている。但し、このガラス押え片１０６は、木ねじ１０４に対応して設けられた当該ガラス押え片１０６の達磨穴１０７のうちの小穴１０７ａが（図６（Ｂ−１））、スペーサ１０５から突出した当該木ねじ１０４の胴部に引っ掛かるようにしたものである。
【０００３】
しかしながら、上述した引戸のガラス板取付構造においては、当該構造のガラス押え片が外観上の見栄えを目的としていることからも解るように、このガラス押え片は、単に木ねじに引っ掛かっているのみで中桟とは結合されておらず、したがって、ガラス板の表面に配設される部材（上記例では、中桟）と当該ガラス板の裏面に配設される部材（上記例では、ガラス押え片）とでガラス板を挟持する構造として採用しても、十分な挟持力を得ることができず、ガラス板の脱落などの恐れが多分にある。
上述した引戸を含む従来の建具において、上記例のような上方位置と下方位置に配置されたガラス板を、当該ガラス板の表面に配設される部材と当該ガラス板の裏面に配設される部材とで挟持する構造のもので、両部材が別体でありながら当該部材によって十分な挟持力を得ることができるようにし、また、当該挟持を簡便に達成できるようにした構造のものはこれまでのところ存在しない。
【特許文献１】特開昭５７−６１１８０（第２頁、第２，３図）
【発明の開示】
【発明が解決しようとする課題】
【０００４】
解決しようとする問題点は、分割して並べて配置されるガラス板等のパネルを挟持する構造として十分な挟持力を得ることができ、しかも、この挟持力を簡便に得られる構造のものとする点である。
【課題を解決するための手段】
【０００５】
本発明の請求項１に係る建具は、互いに対向する一対の外枠体の間に、分割して並べて配置されるガラス板等のパネルを当該外枠体によって支持する建具であって、前記外枠体に装架する態様で前記パネル間に保持枠体を配設し、この保持枠体の凹部と凸部との、ワンタッチ操作による嵌め合い結合によって当該パネルを前記外枠体間に渡って挟持するようにしたものであり、本建具によれば、ガラス板等のパネルを外枠体間に渡って挟持するとともに、かかる挟持をワンタッチ操作による凹部と凸部との嵌め合い結合で行うようにしているので、分割して並べて配置されるパネルを挟持する構造として十分な挟持力を得ることができ、しかも、この挟持力を簡便に得ることができる。
ところで、分割して並べて配置される場合の配置には、上方位置と下方位置に配置される場合及び左方位置と右方位置に配置される場合を含むとともに、分割には、単なる二分割のみならず三分割、四分割等を含む。
【０００６】
本発明の請求項２に係る建具は、前記保持枠体が、前記パネルの表面側に配設される凹部または凸部を有する第１中桟と、前記パネルの裏面側に配設される凸部または凹部を有する第２中桟とで構成され、前記第１中桟と第２中桟との結合が、前記凸部の、前記パネル面に並行な方向からの前記凹部への挿入によってなされるようにしたもので、凸部を凹部に挿入するというワンタッチ操作で結合がなされる。
【０００７】
本発明の請求項３に係る建具は、前記保持枠体が、前記パネルの表面側に配設される凸部または凹部を有する第１中桟と、前記パネルの裏面側に配設される凹部または凸部を有する第２中桟とで構成され、前記第１中桟と第２中桟との結合が、前記凸部の、前記パネル面に垂直な方向からの前記凹部への圧入によってなされるようにしたもので、凸部を凹部に圧入するというワンタッチ操作で結合がなされる。
【０００８】
本発明の請求項４に係る建具は、前記外枠体が、断面視略矩形状の長尺な基部と、この基部の、前記矩形状の長辺を含む一方の面側に突設された断面視Ｌ字形状の前記パネルの支持部とで構成され、前記第１中桟が、前記外枠体の支持部間に装架される一方、前記第２中桟が、前記外枠体の基部間に装架されるようにしたもので、外枠体に装架される第１中桟及び第２中桟の各装架長さを、外枠体の基部間及び支持部間に相当する長さに対応させることにより外観上の見栄えをよくする。
ここで、断面視略矩形状をなす外枠体には、単なる薄板で構成されるもの、或いは、中空の薄板で構成されるものなどが含まれる。
【発明の効果】
【０００９】
本発明の建具は、ガラス板等のパネルを外枠体間に渡って挟持するとともに、かかる挟持を保持枠体における凹部と凸部との、ワンタッチ操作による嵌め合い結合で行えるようにしているため、パネルを挟持する構造としては十分な挟持力を持たせることができ、しかも、この挟持力を簡便に得ることができる利点がある。
【発明を実施するための最良の形態】
【００１０】
本発明の第１の実施の形態に係る建具を図１〜３を参照して説明する。
本建具１は、図１に示すように、その扉体が外枠体２，３及び４，５によりやや縦長な矩形状に形成され、かかる扉体には、本実施の形態では、保持枠体６を隔てて上方位置に窓ガラス（パネル）７ａが、また、下方位置に窓ガラス（パネル）７ｂが分割して配置された開き戸である（尚、図１では、本建具１の扉体のみが描かれている）。
本建具１の扉体の詳細な構成を説明する。
本建具１の扉体は、左右位置には互いに対向する一対の外枠体２，３が、また、上下位置には互いに対向する一対の外枠体４，５が配置され、上述のように縦長な矩形状を形成しており、このうちの外枠体２，３は、断面視略矩形状の長尺な中空の薄板で構成される基部２ａ，３ａと、この基部２ａ，３ａの、矩形状辺のうちの長辺を含む一方の面２ａ１，３ａ１側に突設された断面視Ｌ字形状の支持部２ｂ，３ｂとでそれぞれ構成され（図３）、また、外枠体４，５は、断面視略矩形状の長尺な中空の薄板で構成される基部４ａ，５ａと、この基部４ａ，５ａの、矩形状辺のうちの長辺を含む一方の面４ａ１，５ａ１側に突設された断面視Ｌ字形状の支持部４ｂ，５ｂとでそれぞれ構成されている（図２）。そして、外枠体２，３の各両端部及び外枠体４，５の各両端部は、外枠体２，３及び４，５のそれぞれの長手方向に対し４５゜で切断加工されている。尚、外枠体２と外枠体３とは同一形状部材であり、また、外枠体４と外枠体５とは同一形状部材である。
【００１１】
そして、これら外枠体２，３及び４，５で形成される矩形状の四隅のうち、例えば外枠体２と外枠体４について言えば、外枠体２と外枠体４が、両者の４５゜の切断加工面を当接する態様で、外枠体２の基部２ａ内及び外枠体４の基部４ａ内に配設される略Ｌ字状の連結部材８を介して連結されようになっており、したがって、これら外枠体２，３及び４，５は、このようにして四隅のそれぞれに配設される連結部材８を介して互いに連結されている。
【００１２】
本建具１の扉体の中央位置には外枠体２，３に横架する態様で保持枠体６が配置され、かかる保持枠体６は、窓ガラス７ａに対しては、当該窓ガラス７ａが外枠体４の支持部４ｂ及び外枠体２，３の支持部２ｂ，３ｂの上半分を用いて支持されたときに当該窓ガラス７ａの下端部を挟持するとともに、窓ガラス７ｂに対しては、当該窓ガラス７ｂが外枠体５の支持部５ｂ及び外枠体２，３の支持部２ｂ，３ｂの下半分を用いて支持されたときに当該窓ガラス７ｂの上端部を挟持するものである。
【００１３】
このような保持枠体６は、窓ガラス７ａ，７ｂの表面側に配設される第１中桟６１と、窓ガラス７ａ，７ｂの裏側に配設される第２中桟６２との組み合わせで構成される部材であり、第１中桟６１は、本実施の形態では、垂直部材６１ａと水平部材６１ｂとからなる断面略Ｔ字状部材で（図２）、このうちの垂直部材６１ａは、外枠体２の支持部２ｂと外枠体３の支持部３ｂ間、本実施の形態では支持部２ｂのＬ字状折曲端と支持部３ｂのＬ字状折曲端間の長さに等しい長さを有する長尺の幅狭な薄板状部材であり（図３）、また、水平部材６１ｂは、垂直部材６１ａと同一長さの長尺な角状部材であり、この水平部材６１ｂの中央には、当該水平部材６１ｂの長手方向に沿って、且つ、当該水平部材６１ｂを貫通する態様で下記突条６２ｂが係合する溝部（凹部）６１ｂ１が設けられている（図２）。
一方、第２中桟６２は、その長さが上記第１中桟６１より短いが長尺もので、本実施の形態では、外枠体２の基部２ａと外枠体３の基部３ａ間、具体的には、基部２ａの矩形状辺のうちの短辺を含む一方の面２ａ２と基部３ａの矩形状辺のうちの短辺を含む一方の面３ａ２間の長さに等しい長さを有する細長な中空の矩形状部材６２ａと（図３）、この矩形状部材６２ａの一方面中央に当該矩形状部材６２ａの長手方向に沿って立設された、上記溝部６１ｂ１に等しい形状の突条（凸部）６２ｂとで構成され（図２）、かかる突条６２ｂを上記溝部６１ｂ１に挿入することにより、第１中桟６１とは嵌め合わされて結合する。このとき、第１中桟６１の、上記溝部６１ｂ１と突条６２ｂとの結合部位を隔てて垂直部材６１ａの上側片面と、第２中桟６２の、上記溝部６１ｂ１と突条６２ｂとの結合部位を隔てて矩形状部材６２ａの上側片面との間に窓ガラス７ａの下端部が挟持され、また、第１中桟６１の、上記溝部６１ｂ１と突条６２ｂとの結合部位を隔てて垂直部材６１ａの下側片面と、第２中桟６２の、上記溝部６１ｂ１と突条６２ｂとの結合部位を隔てて矩形状部材６２ａの下側片面との間に窓ガラス７ｂの上端部が挟持される。
【００１４】
次に、本建具１における窓ガラス７ａ，７ｂの取付手順の一例を図１〜３を参照して説明する。
本建具１では、第２中桟６２の矩形状部材６２ａの、上記突条６２ｂが立設された面の裏側面にＣ字状タッピング孔６２ｂ１を有するリブが突設されており、このタッピング孔６２ｂ１に（図２）、第２中桟６２を外枠体２，３に固定するためのストレートピン９が当該矩形状部材６２ａの両端面から突出した状態でそれぞれ圧入されている。
まず、連結部材８を用いて外枠体２に外枠体４，５をそれぞれ連結する。そして、窓ガラス７ａ，７ｂを、これら外枠体２の支持部２ｂ及び外枠体４，５の支持部４ｂ，５ｂによって当該窓ガラス７ａが本建具１の上方位置で、また、当該窓ガラス７ｂが本建具１の下方位置で支持されるように配置する。この配置に際しては、窓ガラス７ａ，７ｂを、上記支持部２ｂ及び支持部４ｂ，５ｂの内底面に当接させるようにする。すると、当該窓ガラス７ａ，７ｂ間に所定隙間が形成されるようになっているので、かかる隙間に第１中桟６１を挿入する。かかる挿入に伴って、当該第１中桟６１の垂直部材６１ａの上面及び下面が窓ガラス７ａの下端部及び窓ガラス７ｂの上端部とそれぞれ当接する状態になる（図２）。
【００１５】
しかる後、第２中桟６２を、ワンタッチ操作で第１中桟６１と結合させる。即ち、第２中桟６２を、当該第２中桟６２の突条６２ｂを第１中桟６１の溝部６１ｂ１に窓ガラス７ａ，７ｂ面に並行な方向から挿入して第１中桟６１と結合させる。この結合により、第１中桟６１と第２中桟６２が、窓ガラス７ａの下端部及び窓ガラス７ｂの上端部を外枠体２，３間に渡って挟持する構造となるので、十分な挟持力を得ることができる。この結合に際しては、突条６２ｂの溝部６１ｂ１への挿入と同時に、第２中桟６２のストレートピン９を外枠体２のタッピング孔（図示せず）に挿入する。そして、外枠体３の支持部３ｂで窓ガラス７ａ，７ｂを支持すべく当該支持部３ｂの内底面を窓ガラス７ａ，７ｂに当接させつつ、第２中桟６２のストレートピン９が外枠体３の面３ａ２に設けられたタッピング孔３ｃに挿入されるように注意しながら、外枠体３を連結部材８を用いて外枠体４，５にそれぞれ連結する。このとき、第１中桟６１は、外枠体２の支持部２ｂのＬ字状折曲端と外枠体３の支持部３ｂのＬ字状折曲端間に配設され、第２中桟６２は、外枠体２の基部２ａの面２ａ２と外枠体３の基部３ａの面３ａ２間に配設されることになる（図３）。
【００１６】
ところで、上記実施の形態では、第２中桟６２を固定する手段としてストレートピン９を用いた場合について説明したが、図４に示すように、タッピングネジ１０を用いてもよい。かかるタッピングネジ１０の場合には、例えば最後に外枠体３の支持部３ｂで窓ガラス７ａ，７ｂを支持すべく当該外枠体３を連結し終えた後、タッピングネジ１０を、外枠体２，３の所定位置にそれぞれ穿設された通孔１１ａ，１１ｂから挿通して保持枠体６の第２中桟６２に螺着させればよい。
また、突条６２ｂの溝部６１ｂ１への挿入の後に、一方のタッピングネジ１０を、外枠体２の通孔１１ａから挿通して保持枠体６の第２中桟６２に螺着させ、最後の外枠体３を連結し終えた後に、他方のタッピングネジ１０を、外枠体３の通孔１１ｂから挿通して第２中桟６２に螺着させるようにしてもよいことはもちろんである。
【００１７】
次に、本発明の第２の実施の形態に係る建具を図５を参照して説明する。尚、同図において、図１〜３の構成部材と同一の部材には同一番号を付し、その説明は割愛する。但し、同図では、外枠体２，３及び４，５等は省略されている。
本建具２０が上述した建具１と異なるところは、建具１に用いた保持枠体６の代わりに、本建具２０においては保持枠体２１を用いるようにした点が異なる。
即ち、保持枠体２１は、窓ガラス７ａ，７ｂの表面側に配設される第１中桟２２と、窓ガラス７ａ，７ｂの裏面側に配設される第２中桟２３とで構成される。そして、第１中桟２２は、幅狭な薄板形状の垂直部材２２ａと、この垂直部材２２ａの一方面中央に立設された断面略こけし形状の突条（凸部）２２ｂとからなる弾性変形可能なアルミ押出し成形部材や樹脂成形部材であり、このうちの垂直部材２２ａは、本実施の形態においても同様に、外枠体２の支持部２ｂのＬ字状折曲端と外枠体３の支持部３ｂのＬ字状折曲端間の長さに等しい長さを有する長尺ものであり、また、突条２２ｂは、垂直部材２２ａと同一長さを有し、この突条２２ｂの中央には、当該突条２２ｂの長手方向に沿って、垂直部材２２ａ側とは反対側に開口口を有するスリット２２ｂ１が設けられている。
【００１８】
また、第２中桟２３は、細長な中空の矩形状部材２３ａとこの矩形状部材２３ａの一方面中央に当該矩形状部材２３ａの長手方向に沿って立設された角状部材２３ｂとで構成され、このうちの矩形状部材２３ａは、本実施の形態においても同様に、外枠体２の基部２ａの矩形状辺のうちの短辺を含む一方の面２ａ２と外枠体３の基部３ａの矩形状辺のうちの短辺を含む一方の面３ａ２間の長さに等しい長さを有する長尺ものであり、また、角状部材２３ｂは、その矩形状部材２３ａと同一長さを有し、この角状部材２３ｂの中央には、当該角状部材２３ｂの長手方向に沿って、且つ、当該角状部材２３ｂを貫通する態様で上記突条２２ｂが係合する溝部（凹部）２３ｂ１が設けられている。このような溝部２３ｂ１に上記突条２２ｂを圧入することによって第１中桟２２と第２中桟２３との結合がなされる。
【００１９】
本建具２０における窓ガラス７ａ，７ｂの取付手順について説明する。
ところで、本建具２０では、第２中桟２３の矩形状部材２３ａの、上記角状部材２３ｂが立設された面の裏側面と当該裏側面にそれぞれ垂直な面とで形成される両隅に、Ｃ字状タッピング孔２３ａ１を有するリブがそれぞれ突設されており、このタッピング孔２３ａ１にストレートピン９が当該矩形状部材６２ａの両端面から突出した状態でそれぞれ圧入されているものとする。このようなストレートピン９の場合には、外枠体２，３に対する第２中桟６２の固定のみならず、回転防止に効果的である。
まず、上記第１の実施の形態と同様に、連結部材８を用いて外枠体２に外枠体４，５をそれぞれ連結した後、窓ガラス７ａ，７ｂを、本建具２０の所定位置で上記支持部２ｂ及び支持部４ｂ，５ｂの内底面に当接させて配置すると、当該窓ガラス７ａ，７ｂ間に所定隙間が形成され、かかる隙間に、本実施の形態では第２中桟２３を挿入し、これに伴って、当該第２中桟２３の角状部材２３ｂの上面及び下面が窓ガラス７ａの下端部及び窓ガラス７ｂの上端部にそれぞれ当接する状態になる。第２中桟２３の上記隙間への挿入に際しては、第２中桟２３のストレートピン９を外枠体２のタッピング孔に挿入しておくことはもちろんである。
【００２０】
そして、本実施の形態では、第１中桟２２を、ワンタッチ操作で第２中桟２３と結合させる。即ち、第１中桟２２を、当該第１中桟２２の突条２２ｂを第２中桟２３の溝部２３ｂ１に窓ガラス７ａ，７ｂ面に垂直な方向から圧入して第２中桟２３と結合させる。この結合により、第１中桟２２と第２中桟２３が、窓ガラス７ａの下端部及び窓ガラス７ｂの上端部を外枠体２，３間に渡って挟持する構造となるので、十分な挟持力を得ることができることは上述同様である。そして、外枠体３の支持部３ｂで窓ガラス７ａ，７ｂを支持すべく当該支持部３ｂの内底面を窓ガラス７ａ，７ｂに当接させつつ、第２中桟２３のストレートピン９が外枠体３のタッピング孔に挿入されるように注意しながら、外枠体３を連結部材８を用いて外枠体４，５にそれぞれ連結すればよい。
尚、第１中桟２２を第２中桟２３と結合させる前に、先に外枠体３を外枠体４，５にそれぞれ連結し、その後に第１中桟２２を第２中桟２３に圧入して両者を結合させてもよい。
【００２１】
ところで、本建具２０においては、連結部材８を用いて外枠体２に外枠体４，５をそれぞれ連結し、第２中桟２３を、当該第２中桟２３のストレートピン９を外枠体２のタッピング孔に挿入して配置した後に、窓ガラス７ａ，７ｂを所定位置に配置するような手順を採ってもよい。
また、本建具２０においても、ストレートピン９に代えてタッピングネジ１０を用いてもよい。かかるタッピングネジ１０の場合には、上記第１の実施の形態で説明したのと同様に、最後に外枠体３の支持部３ｂで窓ガラス７ａ，７ｂを支持すべく当該外枠体３を連結し終えた後、タッピングネジ１０を、外枠体２，３の所定位置にそれぞれ穿設された通孔から挿通して保持枠体２１の第２中桟２３に螺着させるなどすればよい。
【００２２】
本願では、保持枠体によってパネルの挟持を十分に得ることができるようにすることを課題とし、保持枠体の凹部と凸部の嵌め合い結合によってパネルを挟持する場合について説明した。しかし、本願の実施の形態のように、保持枠体を第１中桟及び第２中桟により構成し、この第２中桟を一対の外枠体の基部間に相当する長さにし、この第１中桟を一対の外枠体のパネルを支持する支持部間に相当する長さにすることにより、断面視略矩形状の基部とパネルの支持部とからなる外枠に使用する場合にあっては、外観上見栄えのよい建具を構成することができる。けだし、第１中桟と第２中桟とを共に一対の外枠体のパネルを支持する支持部間に相当する長さに切断した場合は、第２中桟は、外枠体の基部間に収まらず外枠体に重なり保持枠体が建具の厚み方向に突出してしまうからであり、また、第１中桟と第２中桟とを共に一対の外枠体の基部間に相当する長さに切断した場合は、第１中桟は、外枠体の支持部間の長さより短くなり、支持部と第１中桟との間に隙間が生じてしまうからである。
したがって、建具の外観上の見栄えを向上させることを課題とする場合にあっては、
互いに対向する一対の外枠体の間に、分割して並べて配置されるガラス板等のパネルを外枠体によって支持し、前記外枠体に装架する態様で前記パネル間に保持枠体を配設した建具であって、前記外枠体は少なくとも前記パネル面に沿う面を有する基部と、前記パネルを支持する支持部から構成され、前記保持枠体は前記外枠体の支持部間に配置される第１中桟と、前記基部間に配置される第２中桟とにより前記パネルを挟持することを特徴とする建具であるといえる。但し、この場合の挟持は、上述したような凹部と凸部との嵌め合い結合に基づく挟持のみならず、外枠体への第１中桟や第２中桟の溶接に基づく挟持、或いは第１中桟及び第２中桟に凸部をそれぞれ設けてこれら凸部の重ね合わせや入れ子式などに基づく挟持であってもよい。
【産業上の利用可能性】
【００２３】
本発明の建具は、上方位置と下方位置に配置されたガラス板等のパネルを、当該パネルの表面に配設される部材と当該パネルの裏面に配設される部材とで挟持する構造のもので、両部材が別体でありながらこれら部材によって十分な挟持力を得ることができるようにし、また、当該挟持を簡便に達成できるようにした従来には存しない構造のもので、開き戸や折り戸、引き戸等のみならず、例えば引き出しの前板の建て付け作業をする者の利便性をも考慮した利用価値の高いものと言える。
【図面の簡単な説明】
【００２４】
【図１】第１の実施の形態に係る建具の分解斜視図である。
【図２】図１のＡ−Ａ断面図である。
【図３】図１のＢ−Ｂ断面図である。
【図４】図１の建具の一部を変更した分解斜視図である。
【図５】第２の実施の形態に係る建具の一部断面図である。
【図６】従来装置の構造図である。
【符号の説明】
【００２５】
１，２０              建具
２，３                外枠体
２ａ，３ａ            基部
２ｂ，３ｂ            支持部
６，２１              保持枠体
７ａ，７ｂ            窓ガラス（パネル）
２２，６１            第１中桟
２２ｂ                突条（凸部）
２３，６２            第２中桟
２３ｂ１                溝部（凹部）
６１ｂ１                溝部（凹部）
６２ｂ                突条（凸部）
【図１】
2005264427.tif 000003
【図２】
2005264427.tif 000004
【図３】
2005264427.tif 000005
【図４】
2005264427.tif 000006
【図５】
2005264427.tif 000007
【図６】
2005264427.tif 000008